(57)【特許請求の範囲】
【請求項１】
液体材料を受け入れるための吸引口を有する容器と、
開口部が形成されたポンプと、
前記容器に配置され、前記ポンプの内部に連通し、吸込口を有する流入管と、
前記容器の内部に連通するように配置され、開口部が形成されたハウジングおよび該ハウジング内に配置された空気インペラーを有する空気インペラー部と、
前記吸込口に連通するように配置され、前記容器内部の低い圧力に較べて比較的に高圧の圧力源を有する呼び水装置とを備えており、
前記ポンプの開口部により、前記ポンプの内部が前記容器の内部に連通され、
前記流入管が前記容器の内部に連通し、
前記空気インペラーが、前記容器の内部と連通し、前記容器の内部に比較的に圧力の低い領域を形成し、該比較的に圧力の低い領域が、連通により、前記ポンプの内部および前記流入管に比較的圧力の低い領域を形成し、
前記容器により受け取られる前記液体材料が前記吸込口のレベルに到達した時、前記比較的に高圧の圧力源が前記流入管内の前記低い圧力と合わせて作用して前記吸込口に圧力差を形成し、前記ポンプに呼び水されてなることを特徴とする真空掃除機。
【請求項２】
前記吸込口に前記圧力差を形成するために、前記比較的に高圧の圧力源を選択的に駆動する手段を備えてなることを特徴とする請求項１記載の真空掃除機。
【請求項３】
前記選択的に駆動する手段が、前記呼び水装置に接続されたバルブを備えてなることを特徴とする請求項２記載の真空掃除機。
【請求項４】
前記呼び水装置が中空体を備えており、該中空体が、開口が設けられた壁を備え、さらに、該開口と着座可能なボールを内部に備えてなることを特徴とする請求項１記載の真空掃除機。
【請求項５】
前記容器により受け取られる液体材料を排出するために前記ポンプと連通している前記真空掃除機の排出口を備え、前記呼び水装置が、前記流入管が設けられた中空体と、前記排出口および前記中空体に連通している導管とを備え、前記導管内のうちの前記排出口と前記中空体との間の部分に設けられた選択的に駆動可能なバルブをさらに備えてなることを特徴とする請求項１記載の真空掃除機。
【請求項６】
前記バルブが、前記導管と連通する空気吸引口を備えてなることを特徴とする請求項５記載の真空掃除機。
【請求項７】
前記バルブは、前記排出口が前記ポンプおよび前記導管に連通することおよび前記空気吸引口が前記導管に連通することが前記バルブにより妨げられる第一の位置と、
前記排出口が前記ポンプおよび前記導管に連通することおよび前記空気吸引口が前記導管に連通することが前記バルブにより許される第二の位置と、
前記排出口が前記ポンプおよび前記導管に連通することが前記バルブにより許されるものの前記空気吸引口が前記導管に連通することが前記バルブにより妨げられる第三の位置とからなる三つの位置で可動であるように構成されてなることを特徴とする請求項６記載の真空掃除機。
【請求項８】
前記ポンプが前記空気インペラー部に隣接して設けられてなることを特徴とする請求項１記載の真空掃除機。
【請求項９】
前記呼び水装置を有するポンプ取付機構を備え、
前記ポンプは、ポンプインペラーおよびポンプインペラーハウジングを有し、前記ポンプインペラーが前記ポンプインペラーハウジング内に設けられ、
前記ポンプ取付機構は、前記ポンプインペラーハウジングに対して着脱可能に取り付けられてなることを特徴とする請求項１記載の真空掃除機。
載の真空掃除機。
【発明の詳細な説明】
【技術分野】
【０００１】
本発明は、真空掃除機、特に、真空掃除機の容器内に捕集された液体物質をポンプ排出できる湿式／乾式真空掃除機に関する。
【背景技術】
【０００２】
容器型の真空掃除機は、ゴミや汚物のような乾燥した物質の吸引だけでなく、液体物質の吸引にも使用することができる。容器が満杯になると、上部吸引機構（通常、モーターと空気インペラーを内蔵している）を取り外して中味の排出を行う。真空掃除機を、液体物質の吸引に使用する場合には、満杯又はその近くまで吸引すると容器が非常に重くなり、容器を持ち上げて中味を排水口その他に排出するのが困難となる。容器内の液面が高くなると、容器を傾けて液を床の排水口に排出することすら困難となる。
【発明の開示】
【発明が解決しようとする課題】
【０００３】
真空容器内の液を排出するための第１の解決策は、容器の底部に排出口を設けることである。この解決策は、容器内の液を床の排水口に排出する場合に有効であるが、排水口が床などの低位置にない場合には、流し等の排水場所まで容器を持ち上げる必要がある。この場合に容器底部の排出口は役に立たない。
【０００４】
真空容器内の液を排出するための第２の解決策は、モーター付のポンプを設けることであり、通常、ポンプは容器の外部又は底部に設けられている。このポンプにより容器の底部から液を吸引してホースで排水口に排出する。一般に、これらのポンプは有効ではあるが費用がかかる。ポンプは、ポンプインペラーやホースだけでなく、それ自身のモーターや電源コード及びスイッチを必要とする。特に住宅用の真空掃除機では、これらの費用が真空掃除機全体の費用うちの大きな割合を占める。このようなポンプは、真空掃除機を乾燥物質の吸引に使用する場合に、容器の有効容量を減らし運転の障害となる。更に、ポンプが容器の底部に配置されていない場合には、ポンプに呼び水を供給するための、費用がかかり構造が複雑な呼び水装置を設けなければならない。
【０００５】
また、ポンプインペラーを傷めないために、容器に吸引される液体を濾過することが望ましい。真空掃除機は、通常、ゴミを捕集する濾過バッグを内蔵している。しかし、これらの濾過バッグは、一般に紙製であるため湿式濾過には使用できない。
【課題を解決するための手段】
【０００６】
本発明の一つの形態では、液体材料を受け入れるための吸引口を有する容器と、開口部が形成されたポンプと、前記容器に配置され、前記ポンプの内部に連通し、吸込口を有する流入管と、前記容器の内部に連通するように配置され、開口部が形成されたハウジングおよび該ハウジング内に配置された空気インペラーを有する空気インペラー部と、前記吸込口に連通するように配置され、前記容器内部の低い圧力に較べて比較的に高圧の圧力源を有する呼び水装置とを備えており、前記ポンプの開口部により、前記ポンプの内部が前記容器の内部に連通され、前記管が前記容器の内部に連通し、前記空気インペラーが、前記容器の内部と連通し、前記容器の内部に比較的に圧力の低い領域を形成し、該比較的に圧力の低い領域が、連通により、前記ポンプの内部および前記流入管に比較的圧力の低い領域を形成し、前記容器により受け取られる前記液体材料が前記吸込口のレベルに到達した時、前記比較的に高圧の圧力源が前記流入管内の前記低い圧力と合わせて作用して前記吸込口に圧力差を形成し、前記ポンプに呼び水されるようになっている。
【０００７】
請求の範囲及び明細書に開示された真空掃除機の特徴及び利点は、以下の、図面に基づく詳細な説明により明らかとなる。
【発明を実施するための最良の形態】
【０００８】
先ず、図１及び図２を参照すると、全体符号３０で示す本発明の真空掃除機は、容器３２及び、全体符号３４で示す上部吸引機構を備えている。
【０００９】
容器３２はキャスター３６で支持され、一対のハンドル３８が設けられている。ハンドル３８は、ユーザーが真空掃除機３０を持ち上げたり移動させるのに使用する。吸引口４０に吸引ホース（図示せず）を装着すると、任意の位置での吸引ができる。
【００１０】
容器３２は上部吸引機構３４を支持している。上部吸引機構３４には、蓋４４、モーター室４６、カバー４８、及び、ハンドル５０が含まれている。上部吸引機構３４は従来構造のものでよい。ポンプ、機械的遮断及び遮断解除機構、及び後に述べる呼び水装置の部分を除き、上部吸引機構３４及びその付属部材には、米国ペンシルバニア州ウィリアムズポートのショップバック社（Shop Vac Cooporation,Williamsport,Pennsylvania）製のShop Vac Model QL20TSに相当する真空掃除機が使用できる。蓋４４は上部吸引機構３４の底を形成しており、複数の留め金５２を有している。モーター室４６は蓋４４の上部に接続されている。カバー４８はモーター室４６の上部に取り付けられ、カバー４８の上部にハンドル５０が取り付けられている。ユーザーが容器３２の上部に上部吸引機構３４を接続する場合には、上部吸引機構３４を持ち上げて容器３２の上方に運搬し、留め金５２と留め金用凹部４２とが合致する位置に上部吸引機構３４を降下させて蓋４４を容器３２の上に載せ、留め金５２で容器３２に固定する。
【００１１】
モーター室４６には一対の空気出口５４が形成されている。吸引口４０から真空掃除機３０内に吸引された空気は、図１に矢印ＢＡで示すように、空気出口５４から吹き出される。また、モーター室４６にはポンプ出口５６が設けられ、そこから３方ボール弁５８が突出している。上部吸引機構３４のカバー４８は、後で述べるように、ユーザー用接続機構６２（図２）を含むスイッチ作動機構６０（図３）を内蔵しており、カバー４８から電源コード６４が延びている。電源コード６４は、カバー４８上の取付部６５を通過しており、モーター室４６に常時固定されていてもよく、着脱可能となっていてもよい。モーター室４６とカバー４８とは分離可能な別体であっても一体構造であってもよい。いずれの構造であっても、モーター室４６とカバー４８の間に、図１に矢印ＣＡで示すように、空気が出入りする空気通路６６が形成されている。
【００１２】
ここで図３〜図５を参照すると、上部吸引機構３４内には、空気インペラー部６８が設けられている。空気インペラー部６８には、開口７２を有するハウジング７０、空気インペラー７４、モーター軸７６、延長軸７８、フランジ形座金８０、及び一対の平板座金８２が含まれている（図５）。（必要なら真空掃除機３０内に空気インペラーを多段に設けることもできる。）空気インペラー７４は、上部板８４と下部板８６の間に複数のブレード８８を挟んで形成されている（図４）。上部板８４には第１の開口９０が設けられ、下部板８６には、第１の開口９０より直径が大きい第２の開口９２が設けられている。モーター軸７６は、一方の端部がモーター９３（図３にモーター９３の下部が図示されている）に接続され、他方の端部９４にネジが形成されている（図５）。延長軸７８にはネジ付凹部９６とネジ付端部９８が形成されている（図３）。
【００１３】
空気インペラー７４はハウジング７０に内蔵されている（図５）。モーター軸７６のネジ付端部９４は、空気インペラー７４の第１の開口９０に侵入している。延長軸７８のネジ付凹部９６にモーター軸７６のネジ付端部９４をねじ込むことにより、延長軸７８とモーター軸７６とが固定されている。一方の平板座金８２が上部板８４と延長軸７８の間に設けられている。他方の平板座金８２とフランジ形座金８０がモーター軸７６を囲む形で上部板８４とモーター軸受け１０２の間に設けられている（図３）。延長軸７８は、モーター軸７６から空気インペラー７４の第２の開口９２を通ってハウジング７０の開口７２から突出し、ネジ付端部９８でポンプインペラー１０４に接続されている（図３）。このように、モーター９３は、空気インペラー７４とポンプインペラー１０４とを支持しており、モーター軸７６と延長軸７８を介して両インペラーを駆動する。なお、延長軸７８をモーター軸７６と一体構造として、空気インペラー７４とポンプインペラー１０４とを一体に駆動できるようにしてもよい。また、モーター軸７６が同一線上にない延長軸７８を伝動ギヤを介して駆動するようしてもよい。
【００１４】
図３によると、上部吸引機構３４には、また、蓋４４に固定され下方に延びた開孔容器１０６が含まれている。空気インペラー部６８は開孔容器１０６内に収容され、空気インペラー７４が開孔容器１０６を通じて空気を吸い込む。開孔容器１０６内には、底板１１０を支える複数の支持棒１０８が設けられ、底板１１０には、長円形の第１の開口１１２と、より大きな第２の開口１１４が設けられている。発泡質濾過材１１６が開孔容器１０６の周囲を囲んでおり、真空掃除機３０の乾式運転時には、開口１１４からの塵埃の侵入を防止する濾布１１８で開孔容器１０６の周囲が囲まれている。別体の発泡質濾過材１１６と濾布１１８とを使用する代わりに、交換が容易な一体型のカートリッジ濾過材を使用することもできる。
【００１５】
また、開孔容器１０６内には、全体符号１２０で示す上部ポンプ機構が設けられている。上部ポンプ機構１２０は、空気インペラーハウジング７０のポンプ座１２２に固定されている。上部ポンプ機構１２０には、ポンプインペラー１０４、上部インペラーハウジング１２４、及び下部インペラーハウジング１２６が含まれている。ポンプインペラー１０４はナイロン６製であり、上部及び下部インペラーハウジング１２４、１２６は、アクリロニトリル・ブタジエンスチレン共重合体（ＡＢＳ）で形成されていることが望ましい。ポンプインペラー１０４は、ネジ付凹部１２８と複数のブレード１３０を有しており、上部インペラーハウジング１２４には開口１３２が形成され、下部インペラーハウジング１２６には内部円筒壁１３４と外部円筒壁１３６とが含まれている。外部円筒壁１３６の下端には拡張部１３８が形成されている。下部インペラーハウジング１２６は上部インペラーハウジング１２４に取り付けられ、この実施形態では、両者がネジ止めされている。延長軸７８のネジ付端部９８は、上部インペラーハウジング１２４の開口１３２内に延び、ポンプインペラー１０４のネジ付凹部１２８にねじ込まれている。その結果、ポンプインペラー１０４は、上部インペラーハウジング１２４と下部インペラーハウジング１２６の間で吊り下げられて回転可能となっている。延長軸７８の直径と開口１３２の直径は、両者の間に０．００３０インチ程度の隙間の空隙１４０が形成される寸法となっている。この空隙１４０には、延長軸７８と開口１３２の製作誤差に基づく＋／−０．００１５インチの変動が許容される。上部インペラーハウジング１２４の内外に液体が通過できるよう、意図的に、この空隙１４０が設けられている。この空隙１４０により延長軸７８と上部インペラーハウジング１２４とが非接触となっている。両者が非接触であり摩擦熱が発生しないために、この部分の冷却が不要となる。この空隙１４０の意義については後で述べる。ポンプ座１２２と一体に形成されたデフレクター１４２が、空隙１４０を通り抜けた液体飛沫の空気インペラー部６８への侵入を防止する。
【００１６】
上部吸引機構３４には、また、全体符号１４４で示す機械的遮断及び遮断解除機構が内蔵されている。機械的遮断及び遮断解除機構１４４には、スイッチ作動機構６０、浮力伝達棒１４６、及びフロート１４０が含まれている。スイッチ作動機構６０は、カバー４８内に設けられ、フロート１４８は開孔容器１０６の底板１１０上にあり、浮力伝達棒１４６が蓋４４とモーター室４６を通過して延び、スイッチ作動機構６０とフロート１４８とを連結している。
【００１７】
図６〜図９Ｂに、スイッチ作動機構６０が詳細に示されている。図６（図１９Ｂ〜図２５Ｂも同様）は、スイッチ作動機構６０の各部材の相互関係を説明するための図であって、スイッチ作動機構６０の正しい断面を図示したものではない。図７の分解斜視図には、スイッチ作動機構６０のいくつかの部材の正しい位置関係が示されている。スイッチ作動機構６０には、スイッチ座１５０（図６）、スイッチ１５２、トグル１５４、リンク１５６（図６）、バネ部材１５８（図６）及びユーザー用接続機構６２（図６）が含まれている。好ましい実施形態では、スイッチ座１５０、トグル１５４、及び、リンク１５６がＡＢＳ製で、また、ユーザー用接続機構６２はナイロン６／６製、バネ部材１５８がナイロン製であることが望ましい。スイッチ座１５０は、スイッチボックス１６０とスイッチカバー１６２の２部材で形成されている（図７）。スイッチボックス１６０と一体に形成された、スイッチボックス・スペーサー１６４と、第１スイッチ支持棒１６６と、トグル・ストッパー１７０を有するトグル・スペーサー１６８とが内側に突出している。スイッチボックス１６０の外側には、軸受け１７２と、ボルト孔１７６を有する接続フランジ１７４とが突出している（図６）。スイッチカバー１６２は楔形で、内壁１７８と傾斜した外壁１８０を有している（図７）。外壁１８０にはスロット１８２が切り込まれている。接続フランジ１８４が、スロット１８２の底部を形成しており、その底部にボルト穴１８６が形成されている。スイッチカバーの内壁１７８には、第２のスイッチ支持棒１８８とトグル軸１９０とが内壁と一体に形成され、内側に突出している（図６）。トグル軸１９０の端部は、スイッチボックス１６０の軸受け１７２に支持されている。スイッチカバーの外壁１８０には、リンクファスナー１９２が一体に形成され、外方に突出している。スイッチカバー１６２には、更に、スロット１８２に連絡する開口１９４が形成されている。スイッチカバー１６２とスイッチボックス１６０とが一対のネジ１９３で接続されてスイッチ座１５０が形成されている。スイッチ座１５０は、接続フランジ１７４、１８４を貫通してモーター室４６内に延びるボルト１９６によってモーター室４６に固定されている（図３）。
【００１８】
図８に示すように、スイッチ１５２は標準的な電気マイクロスイッチであり。軸方向穴１９８、支持穴２００、一時作動機構２０２、内部バネ２０４、及び、一対の電気端子２０６ａ、２０６ｂを有している。スイッチ１５２は、常時はＯＦＦで一時作動機構２０２を押したときだけＯＮとなる形式のスイッチである。一旦作動機構２０２が解除されると、作動機構２０２が内部バネ２０４に押されてスイッチ１５２が常時ＯＦＦの位置に戻る。このスイッチの好ましい実施形態として、コネクチカット州ウィリングフォード（Willingford, Connecticut）のＣ＆Ｋユニマックス（C&K/Unimax）社製、a Unimax Model ＃TMCJG6SP0040Yが使用される。スイッチ１５２は、スイッチ座１５０内にぴったりと収まり、支持穴２００内の第１及び第２の支持棒１６６、１８８（図６）、及び、軸方向穴１９８内のトグル軸１９０で、しっかりと固定される。
【００１９】
図７及び図８に示すように、トグル１５４は、全体がＵ字形で、浮力伝達棒１４６（図６）を受容するための延長部２１０（図８）を形成した後壁２０８、一対の側壁２１２ａ、２１２ｂ、及び両側壁にまたがる固定ブレース２１４が含まれている。両側壁２１２ａ、２１２ｂは軸穴２１６ａ、２１６ｂを有し、一方の側壁２１２ａの外側にボス２１８が突出している（図７）。トグル１５４は両側壁２１２ａ、２１２ｂでスイッチ１５２を挟んでスイッチ座１５０内に設けられ、側壁２１２ｂとスイッチボックス１６０の間がトグルスペーサー１６８で隔てられ、スイッチ１５２の下方に固定ブレース２１４が設けられている（図６）。こうしてトグル軸１９０が軸穴２１６ａ、２１６ｂを通って延び、ボス２１８がスイッチカバー１６２の開口１９４から突出している（図６）。特に図８からわかるように、固定ブレース２１４には、限界点ＣＰを境に傾斜部２２０と固定部２２２とが形成されている。好ましい実施形態では、傾斜部２２０と固定部２２２との間の角度は約１５８°であるが、この角度は当業者が変更可能である。傾斜部２２０と固定部２２２の角度は、図２０Ａに示すように、トグル１５４を時計方向に完全に回転させたとき、傾斜部２２０とスイッチ１５２の底面とが同一面になる角度となっている。
【００２０】
図６〜図９Ｂを参照すると、リンク１５６には、細長いスロット２２４とボス用のスロット２２６が設けられ、バネ部材取付部２２８がリンク１５６から外部に突出している。リンクファスナー１９２がスロット２２４に入り込み、リンク１５６とスイッチ座１５０とを連結している。この溝２２４によりリンク１５６がスイッチ座１５０に対して上下に摺動可能となっている。また、トグル１５４のボス２１８がスロット２２６から突出している（図６）。
【００２１】
図６、図９Ａ及び図９Ｂを参照すると、バネ部材１５８には、作動棒２３０、連絡部２３２、差込部２３４、上部バネ２３４、下部バネ２３８、及び、一対のサイドレール２４０が含まれている（図９）。連絡部２３２は、作動棒２３０、差込部２３４、上部バネ２３６、下部バネ２３８、及び、サイドレール２４０を相互に結合する。上部バネ２３６及び下部バネ２３８は、連絡部２３２でいずれも外側に湾曲し、作動棒２３０の端部に向かって差込部２３４の反対側に折り返されている（図６）。上部バネ２３６、下部バネ２３８は、いずれも、カバー４８に形成されたスロット２４２内に設けられ、作動棒２３０がスロット２４２から突出している。上部バネ２３６とスロット２４２の上縁２４４とが係合して第１の荷重が生じ、下部バネ２３８とスロット２４２の下縁２４６とが係合して第２の荷重が生じる。好ましい実施形態では、スロット２４２内のユーザー用接続機構６２が接続されていないときに、第１の荷重と第２の荷重とが平衡を保ってユーザー用接続機構６２がスロット２４２内の中心で保持される。反対側端部の差込部２３４がバネ部材取付部２２８に差し込まれている（図６）。ユーザー用接続機構６２には、中空連結棒２５０に連結された接続操作部２４８が含まれている。中空連結棒２５０はカバースロット２４２から内部に突出し、バネ部材１５８の作動棒２３０の周りに設けられている。ユーザー用接続機構６２の接続操作部２４８は、カバー４８の外側に設けられ、バネ部材１５８とカバー４８とがぴったりとはまり合うように、サイドレール２４０がカバー４８の外側に設けられている（図９）。
【００２２】
再び図３を参照すると、フロート１４８は中空体で、共重合体のポリプロピレン等の適切な材料で形成されている。フロート１４８は、その内部に浮力伝達棒１４６を受容するための棒受容部２５２を形成している。この実施形態では、浮力伝達棒１４６が自由に上下運動をする。しかし、他の実施形態では、浮力伝達棒１４６がガイド溝に沿って直線的に上下運動するようにしてもよい。
【００２３】
図３によると、上部吸引機構３４が、排出部２５６の第１部分２５４を囲っている（図１６）。図１０及び図１１に示すように、排出部２５６の第１部分２５４には、ハウジング２５８、ボール弁５８、及び、曲管２６０が含まれている。ハウジング２５８には、ポンプ出口５６、ボール座２６２，及び曲管空洞部２６４が形成されている。ハウジング２５８には、更に、ハウジング２５８から下方に延びる入口部２６６、及び、ハウジング２５８の外部にネジ部２６８が含まれている。流入部２６６には、逆止弁２７２を有する管路２７０が設けられ、これによって、曲管２６０又はポンプ出口５６から流入部２６６を経由する空気又は液体の侵入が防止されている。ボール弁５８のノブ２７４には、弁開閉用流路２８が形成されたボール２７８に固定された３個の突起２７６ａ〜ｃが設けられている。ハウジング２５８のボール座２６２にボール２７８が保持され、ノブ２７４はハウジング２５８の外部に設けられている。ボール２７８とハウジング２５８の間に設けられた一対のＯ−リング２８２、２８３がボール２７８とハウジング２５８の間を封止している。同様に、ノブ２７４とハウジング２５８の間に設けられたＯ−リング２８５がノブ２７４とハウジング２５８の間を封止している。曲管２６０は流路２８４とアダプター取付部２８６を有している。曲管２６０と一体に、ハウジング閉鎖部２８８、Ｏ−リング２９２を有する封止フランジ２９０、及び、一対の取付部２９４が突出している（図１１）。曲管２６０は、ハウジング２５８の曲管空洞部２６４にネジ２９５によって保持され（図１１）、曲管２６０がＯ−リング２８２に当接してボール２７８との間を封止し、ボール２７８に通じる流路２８４を形成する。また、Ｏ−リング２９２が、曲管２６０とハウジング２５８との間を封止し、ハウジング閉鎖部２８８がハウジング２５８を閉鎖する。流出部２５６の第１部分は、接続部２９４を通して一対のネジ２９７を一対のボス２９６にねじ込むことによって、モーターハウジング４６内に固定されている（図３）。ハウジング２５８は、モーターハウジング４６の開口２９８から突出しており、アダプター取付部２８６が蓋４４の内部に突出している（図３）。ハウジング２５８のネジ部２６８にコネクター３０４を取り付けて、ハウジング２５８にホース３０２を接続することができる（図１６）。コネクター３０４は、端部にネジ付リングを有する園芸用のものが使用できる。
【００２４】
ノブ２７４の突起２７６ａ〜ｃは、ハウジング２５８内の流路２８０の角度位置を示すのに役立つ。図１２Ａに示すように、突起２７６ａがポンプ出口５６の方向に向いているとき、ボール２７８が、曲管２６０からポンプ出口５６への方向、又はその逆方向、の液体の流れを阻止する。流路２８０と流路２８４とが直交し、ボール２７８とハウジング２５８の間が封止されているために、この位置では液体がボールの側を通過することはない。
【００２５】
図１２Ｂに示すように、突起２７６ｂがポンプ出口５６の方向に向いているときには、流路２８０は流路２８４に対して４５°の角度となるため、ポンプ出口５６へは液体の一部が流れるだけである。同様に、ボール２７８が図１０に示す位置にあるときには、流入管２６６内の空気が逆止弁２７２を通って曲管２６６に流入する。図１０及び図１１に、流入管２６６から流入する空気の流れを示す。流入管２６６に流入した空気は逆止弁２７２を通過し、ボール２７８の外面に沿って、流路２８０を横切って流れ、流路２８４に流入する。ボール２７８の両端が、流路２８４形成のために切除されているために、この位置で、空気がボール２７８の側を通過することができる。このように、この位置では、ボール２７８とハウジング２５８との間が完全に封止されていない。
【００２６】
図１２Ｃに示すように、突起２７６ｃがポンプ出口５６の方向に向いているときには、流路２８０と流路２８４とが一直線となるため、曲管２６０からポンプ出口５６への液体の流れが最大となる。
【００２７】
図１３には、ポンプ継手３０８、下部流入管３１０、差圧装置３１２、導管３１４、及び、流出部２５６の第２部分３１６を含むポンプ取付機構３０６が図示されている。望ましくはＡＢＳ製の、ポンプ継手３０８には、上部流入管３１８、及び、流入管３１８の下半分を覆うように一体形成された外部円筒壁３２０が含まれている。上部流入管３１８と外部円筒壁３２０の各上端部の溝３２６、３２８には、それぞれＯ−リング３２２、３２４が設けられている。上部流入管３１８は、Ｏ−リング３２２と反対側の端部が下部流入管３１０に挿入されている。外部円筒壁３２０の外面には２つのフランジ３３０、３３２が突出している。上部のフランジ３３０は長円形で、下部のフランジ３３２は、上部フランジ３３０の最大径より大きな直径を有している。外部円筒壁３２０は、また、流出部２５６の第２部分３１６のポンプコネクター３３４と接続され、液が流通可能となっている。
【００２８】
図１４、１５Ａ、１５Ｂ及び１５Ｃに示すように、差圧装置３１２には、ボール３４０を収容するのための底板３３８で閉鎖された中空体３３６が含まれている。中空体３３６にはボール３４０が着座する開口３４２が設けられている（図１５Ｃ）。中空体３３６には、また、上方に突出した継手３４４、３４６（図１５Ａ）が設けられ、それぞれ下部流入管３１５及び導管３１４を接続する開口３４８、３５０を形成している（図１５Ａ）。中空体３３６には頂板３５２がネジ３５３で固定されている。図１４でよくわかるように、頂板３５２には、流入管３１０と導管３１４が通過する穴３５４、３５６が設けられている。頂板３５２と底板３３８の間に濾過材３５８が挟まれており、開口３４２を通って中空体３３６に流入する液体が濾過材３５８を通過するようになっている。
【００２９】
図１３に戻ると、流出部２５６の第２部分３１６には、ポンプコネクター３３４、屈曲性管３６０、及び、回転継手３６２が含まれている。上記のように、ポンプコネクター３３４は、一端がポンプ継手３０８の外部円筒壁３２０に接続しており、他端が屈曲性管３６０と接続している。屈曲性管３６０の他端には回転継手３６２が取り付けられている。ポンプコネクター３３４には、逆止弁３６４と導管継手３６６が含まれている。この逆止弁３６４により、ポンプ継手３０８からポンプコネクター３３４には液が流れるが、ポンプコネクター３３４からポンプコネクター３０８には液が流れないようになっている。導管３１４の一端が、ポンプ接続部３３４の導管継手３６６に接続されている。導管継手３６６は逆止弁３６４の出口側に配置されている。導管３１４の他端が、中空体３３６の継手３４６に挿入されている。導管３１４は、その中間部で下部流入管３１０にクランプ３６８で固定されている。
【００３０】
真空掃除機３０は、乾式モードと湿式モードの２つのモードで運転される。図３は真空掃除機３０の湿式モードで運転する場合の構成を示す。ボール弁５８が閉鎖位置にあって、容器内を減圧状態に維持し、開孔容器１０６の外面を濾布１１８で覆って、開口１１４からの塵埃の侵入を防止している。真空掃除機３０を湿式モード運転に転換する場合は、濾布１１８を取り外して、ポンプ取付機構３０６を装着する（図１６）。ポンプ取付機構３０６を装着して、全体符号を３７２で示すポンプを形成する場合、ユーザーは、先ず、ポンプ継手３０８を、開孔容器の底板１１０の開口部１１２、１１４に通して、上部ポンプ機構１２０の下部インペラーハウジング１２６内に挿入する。上部ポンプ機構１２０の拡張部分１３８は、ポンプ取付機構３０６の下部インペラーハウジング１２６への挿入を容易にする。挿入の際、上部流入管３１８が、下部インペラーハウジング１２６の内部円筒壁１３４内を摺動し、Ｏ−リング３２２が円筒壁１３４との間を封止する。同様に、ポンプ継手３０８が、下部インペラーハウジング１２６の外部円筒壁１３６内を摺動し、Ｏ−リング３２４が外部円筒壁１３６との間を封止する。そして、環状フランジ３３２が開口１１４に着座する。
【００３１】
ポンプ取付機構３０６を開孔容器１０６に固定するために、ユーザーはポンプ取付機構３０６を９０度回転させて、ポンプ継手３０８の長円形フランジ３３０が開孔容器１０６の底板１１０の上に載るようにする。そして最後に、回転継手３６２をアダプター取付部２８６に挿入して固定し、ポンプ取付機構３０６を上部吸引機構３４に接続する。組み立てられたポンプ３７２には、呼び水室３７４と排出溝３７６が含まれている。呼び水室３７４は、上部入口３１８、Ｏ−リング３２２、内部円筒壁１３４，及びポンプインペラー１０４で形成されている。排出溝３７６は、下部インペラーハウジング１２６の外部円筒壁１３６、Ｏ−リング３２４、及びポンプ継手３０８の外部円筒壁３２０で形成されている。ポンプ３７２の各部材の寸法はポンプ３７２の希望する流量によって決まる。更に、モーター９３の出力も、ポンプインペラー１０４を含む多くの部材の寸法に関係する。
【００３２】
ユーザーが、真空掃除機３０に吸引される物質から粗大固形物を除去する場合には、容器３２内に網状の捕集バッグ３７０を装着する（図１６）。図１７、１８Ａ、及び１８Ｂを参照すると、網状の捕集バッグ３７０には、濾過部３７８、閉鎖用折り返し部３８０、及び入口カラー３８２が含まれている。濾過部３７８には、表側部３８４と裏側部３８６が含まれる。表側部３８４と裏側部３８６の３つの縁部３８８ａ−ｃは縫着されている。閉鎖用折り返し部３８０は、濾過部３７８の裏側部３８６の延長部であり、表側部３８４の第４の縁部３８９に対向し開口３９１が設けられている。濾過部３７８の織り目の開口寸法は約０．５ｍｍ〜１ｍｍであることが望ましい。濾過部３７８は、ナイロンその他の強度があり水に溶けない材料で形成されている。濾過部３７８は長方形状で、装着時に濾過部３７８の下端が、丁度、容器３２の底部に接する程度の寸法とする（図１８Ａ及び１８Ｂ）。入口カラー３８２の第１部分３９３ａは、硬質の合成樹脂材で形成した堅い補強材であって、開口３９７を形成しており、閉鎖用折り返し部３８０の外面３９５の中央に設けられている。入口カラー３８２の第２部分３９３ｂは、濾過部３７８の表側面３８４の中央に設けられ、開口３９９を形成している（図１８Ａ）。入口カラー３８２の第２部分３９３ｂは、ゴム製の屈曲可能なスリーブ３９２と硬質合成樹脂製の補強部３９４とで構成され、スリーブ３９２は、補強部３９４と、濾過部３７８の表側部３８４の間に挟まれている。網状捕集バッグ３７０を装着する際、ユーザーは先ず、閉鎖用折り返し部３８０を、表側部３８４の第４の縁部３８９の上に折り返して開口３９１を塞ぐ。次に、網状捕集バッグ３７０を容器３２内に搬入し、容器３２の壁に沿って拡げる（図１６）。
【００３３】
そして入口カラー３８２の各開口３９７、３９９を容器３２の入口４０に合わせ、入口カラー３８２を入口４０上に滑り込ませる。入口カラー３８２が入口４０に押し込まれるに従い、屈曲可能なスリーブ３９２が外側に拡がる。入口カラー３８２が所定位置に押し込まれると、ゴム製のスリーブ３９２の直径が収縮して、ゴムの弾力により入口４０にしっかりと固定される。最後に、ユーザーは、ポンプ取付機構３０６を装着した上部吸引機構３４を容器３２に挿入して蓋４４を容器３２に留め金５２で固定し、真空掃除機３０の湿式モード運転の準備が完了する（図１６）。真空掃除機３０を湿式モード運転（スイッチ作動機構６０の操作は乾式モード運転の場合と同様）する場合、ユーザーは、先ずスイッチ１５２をＯＮにしてモーター９３を起動する。最初は、スイッチ作動機構６０が、図１９Ａ及び１９Ｂに示すＯＦＦの位置にある。ＯＦＦの位置では、トグル１５４のロック部材２１４が一時作動機構２０２に接触しておらず、上下のバネ２３６、２３８が平衡して、ユーザー用接続機構６２がスロット２４２の中央に位置している。図２０Ａ及び２０Ｂに示すように、ユーザーは、ユーザー用接続機構６２の接触操作部２４８を押し上げてモーター９３をＯＮにする。この上向き力がバネ部材１５８とリンク１５６に伝達される。バネ部材１５８に加わる上向き力が、上部バネ２３６をスロット２４２の上縁２４４に押しつけ、荷重が生じる。リンク１５６に加わる上向き力によってボス溝２２６が上方に移動する。ボス溝２２６の上昇により、ボス溝２２６がボス２１８に係合し（図２０Ａ及びＢに示すように）トグル軸１９０の周りでトグル１５４を反時計方向に回転させる（図６）。スイッチカバー１６２の開口１９４の上部でボス２１８の上昇が抑えられて、トグル１５４の過上昇によるスイッチ１５２の損傷を防止する。トグル１５４の反時計方向の回転により、傾斜部２２０が一時作動機構２０２と接触して、一時作動機構２０２をスイッチ１５２に押し込む。トグル１５４が更に反時計方向に回転すると、傾斜部２２０が一時作動機構２０２に沿って横方向に滑る。そして、一時作動機構２０２が限界点ＣＰを通過すると、ロック部材２１４のロック位置２２２に接触する。この位置で、一時作動機構２０２は、トグル１５４の反時計方向回転を妨げず、ロック部材２１４を押し下げることによって、トグル１５４をスイッチ１５２に押しつけ、一時作動機構２０２は押されたままとなる（図２０Ａ及び２０Ｂ）。一時作動機構２０２が押されてスイッチ１４２がＯＮとなり、モーター９３に通電される。ユーザーが、ユーザー用接続機構６２を解除すると、上部バネ２３６に働く荷重が開放され、バネ部材１５８により、スロット２４２内のユーザー用接続機構６２が再び中央に戻る（図２１Ａ及び２１Ｂ）。
【００３４】
モーター９３に通電されると、結合されたモーター軸７６と延長軸７８を介して、空気インペラー７４とポンプインペラー１０４とが駆動される（図１６）。空気インペラー７４の回転によって容器３２内が減圧され、真空が作り出される。この真空によって、空気、液、及び／又はその他の物質が吸引口４０から容器３２内に吸引される。物質を吸引口４０から容器３２内に吸引するとき、粗大物質を網状捕集バッグ３７０で捕捉して、ポンプ３７２の詰まりを防止する。ポンプ３７２を使用しない場合でも、網状捕集バッグ３７０によって、容器３２内の液中の粗大物質が容易に捕捉できるため、容器３２内の液を排水溝に排出する場合に、粗大物質によって排水溝が詰まる怖れがない。容器３２内に吸引され、多孔質濾過材１１６で濾過された空気は、開孔容器１０６を通ってモーターハウジング４６に入り、空気出口５４（図１）から外部に排出される。
【００３５】
ポンプ３７２は、通常、自吸可能である。図１５Ｃ及び１６を参照すると、ボール３４０が開口３４２に着座しているときに、閉鎖されたボール弁５８（図１２Ａ）と、差圧装置３１２の中空体３３６に溜まった液体との間の大気圧の空気による、流路２８４、屈曲性管３６０、及び導管３１４内で高圧系が形成される。また、上部インペラーハウジング１２４の間隙１４０が、流入管３１０、３１８を、空気インペラー７４によって形成される低圧域と連通させるため、流入管３１０、３１８内に低圧系が形成される。流入管３１０、３１８内の低圧空気では、ポンプ３７２の呼び水となる中空体３３６内の液を吸い上げるための水頭差が得られない。逆止弁３６４が、流路２８４、管３６０及び導管３１４内の高圧系から隔離して、流入管３１０、３１８内の低圧系を維持する。中空体３３６内の液体を境として、高圧系と低圧系とが共同作用して、高圧（ほぼ大気圧）空気が中空体３３６内の液を、入口管３１０、３１８を通して呼び水室３７４まで押し上げ、低圧空気を排除して、ポンプ３７２を自給可能とする。
【００３６】
呼び水されたポンプ３７２により、容器３２内に溜まった液を排出することができる。容器３２内に溜まった液は濾過材３５８を通って中空体３３６に入り、吸引管３１０、３１８を通って呼び水室３７４に吸い上げられ、ポンプインペラー１０４に達する。この液の一部は飛沫となって間隙１４０を通り抜けるが、大部分の液は排出溝３７６に流下し、逆止弁３６４を通り抜けて排出部２５６に達する。Ｏ−リング３２４が、ポンプ継手３０８の外部円筒壁３２０と下部インペラーハウジング１２６の外部円筒壁１３６との間での液の漏洩を防止する。排出部２５６に達した液は、ポンプコネクター３３４、管３６０、回転継手３６２、流路２８４、流路２８０、及び、ポンプ出口５６を通り、もし接続されておれば、ホース３０２を通って、排出溝（図示せず）に排出される。ポンプが一旦呼び水されると、ユーザーは、ノブ２７４を回して、突起２７６ｃをポンプ出口５６の方向に向けると、流路２８０と流路２８４の方向が一致するため最大流量で液体の排出ができる（図１２Ｃ）。本発明のこの呼び水作用は設計上の特異な点である。
【００３７】
何らかの原因でポンプ３７２の呼び水ができなかった場合（例えば、逆止弁３６４が閉鎖不十分であった場合）、ユーザーは、ノブ２７４を４５°回転させて、突起２７６ｂをポンプ出口５６の方向に向ければよい（図１２Ｂ）。比較的高圧の外気、即ち大気圧の空気が入口２６６（図１０及び１１）から流路２８４、屈曲性管３６０，及び管路３１４に流入して、前述のような高圧系を形成する。この高圧系によって中空体３３６内の液に差圧を与え、前述のようにポンプ３７２に呼び水をすることができる。
【００３８】
本発明のその他の特異な点は、ポンプ３７２が、一旦呼び水されると、Ｏ−リング３２２が劣化しても呼び水が失われないことである。なぜなら、ポンプ３７２が液を排出しているとき、呼び水室３７４と排出溝３７６がいずれも液で満たされており、上部流入管３１８と下部インペラーハウジング１２６の内部円筒壁１３４の間を封止するＯ−リング３２２が液で満たされているからである。このように、Ｏ−リング３２２が劣化し始めても、呼び水室３７４に空気が侵入して、ポンプ３７２の呼び水が失われることがない。しかし、このときポンプ３７２の運転効率は低下する。
【００３９】
図１６及び２３〜２５に示すように、吸引中に、もし容器３２内の液面が過上昇したとき、機械的遮断及び遮断解除機構１４４が自動的にモーター９３を停止させる。容器３２内の液面がフロート１４８のレベルに達すると、液がフロート１４８を浮上させる。同時に、フロート１４８が浮力伝達棒１４６を上昇させて、浮力伝達棒を受容するトグル１５４の延長部２１０を押し上げる。そして、液面が更に上昇すると、浮力伝達棒１４６がトグル１５４を時計方向に回転させ、トグル１５４がスイッチ１５２から分離する。トグル１５４が一旦スイッチ１５２から離れると、内部バネ２０４の力によって、一時接続機構２０２が外方向に移動して、スイッチ１５２をＯＦＦとし（図２４Ａ及び２４Ｂ）、モーター９３を停止させ、空気インペラー７４及びポンプインペラー１０４の回転を停止させる。フロート１４８は、液が空気インペラー７４に達する前にモーター９３がＯＦＦとなる高さに設置される。モーター９３が一旦ＯＦＦとなると、ユーザーは、上部吸引部３４を取り外して容器３２内の液を手動で排出するか、フロートによる遮断を解除して機械的に強制排出するかの、いずれかを選択する。
【００４０】
容器３２内の液を手動で排出する場合は、ユーザーは留め金５２を外して上部吸引部３４を持ち上げて取り外す。上部吸引部３４を持ち上げる過程でモーター９３がＯＮとなることはない。本発明に基づく設計では、上部吸引部３４を持ち上げて取り外す過程でトグル１５４が回転して、一時接続機構２０２と再び接触してモーター９２がＯＮとなることがないよう、数多くの対策が講じられている。第１に、トグル１５４と浮力伝達棒１４６とが、意図的に別体に形成されいる。もし、トグル１５４と浮力伝達棒１４６とが一体であれば、上部吸引機構３４を持ち上げたときにトグル１５４が反時計方向に回転して一時接続機構２０２を接続させる可能性がある。第２に、上部吸引部３４を持ち上げる際に、トグル１５４が回転して一時接続機構２０２を押すことがないよう、スイッチ１５２の内部バネ２０４の外向きの力が、トグル１５４を保持するのに十分な大きさを持っていることである。上部吸引部３４が一旦取り外されると、ユーザーは容器３２を持ち上げ、網状捕集バッグ３７０を取り外し、容器３２内の液を排出源に排出する。
【００４１】
容器３２内の液を空けるのでなく、ユーザーは、ユーザー用接続機構６２（図２５Ａ及び２５Ｂ）を押し上げて、フロートによる閉鎖を機械的に解除することができる。前記のように、ユーザー用接続機構６２を押し上げることによって、ボス２１８が上昇してトグル１５４を反時計方向に回転させる。トグル１５４の回転により一時接続機構２０２が再び接続する。一時接続機構２０２が一旦押されるとモーター９３が再びＯＮとなり、容器３２内の液排出を続行することができる。しかしこの場合、ユーザーは、容器３２内の液が十分に排出され、液面がモーター遮断レベル以下に低下するまで、ユーザー用接続装置６２を上向きに押し続けなければならない。さもないと、液がフロート１４８を押し上げられているために、トグル１５４が再び回転してモーター９３をＯＦＦにするからである。ユーザー用接続機構６２を解除しておけば、液が十分に排出されて容器３２内の液面がモーター遮断レベル以下に降下しても、モーター９３はＯＮの状態を維持し、真空掃除機３０の運転を継続することができる。
【００４２】
真空掃除機３０の吸引又は液排出運転が終了すると、ユーザー用接続機構６２を押し下げて真空掃除機３０をＯＦＦにする（図２２Ａ及び２２Ｂ）。この下向き力はリンク１５６のバネ部材１５８に伝達される。バネ部材１５８に作用する下向き力により、下部バネ２３８がスロット２４２の下縁に押しつけられ、荷重が生じる。この下向き力がリンク１５６に作用してボス用のスロット２２６が下降する。スロット２２６が下降すると、トグル１５４のボス２１８がスロット２２６に係合する。スロット２２６が更に降下することにより、ボス２１８が下降してトグル１５４を、トグル軸１９０の周りで時計方向に回転させる（図６）。スイッチカバー１６３内の開口１９４の底部分とトグルストッパー１７０がトグル１５４の過回転を防止する。トグル１５４の時計方向回転により固定ブレース２１４が一時接続機構２０２から離れる。こうして、スイッチ１５２の内部ネジ２０４が一時接続機構２０２を外方に押してスイッチ１５２をＯＦＦとしモーター９３を停止させる。ユーザー用接続機構６２が一旦解除されると、バネ部材１５８により、ユーザー用接続機構６２はスロット２４２内の中間位置に戻る（図１９Ａ及び１９Ｂ）。
【００４３】
本発明の真空掃除機は、従来の真空掃除機に比べて顕著な利点を有している。容器内の液を除去するポンプを設けることにより、液を任意の高さの箇所に排出することができる。空気インペラーを駆動する同じモーターでポンプインペラーを駆動するため、ポンプを別個に設けた真空掃除機に比べて価格を著しく低減することができる。ポンプを容器内で、空気インペラーの真下に設けることにより、空気インペラーと軸を共用できるために、ポンプインペラーを簡単で効果的に運転することができる。ポンプ取付機構の着脱が容易であることは、真空掃除機を乾式モードで運転する場合の効果が顕著となる。
【００４４】
本発明の、機械的遮断及び遮断解除機構は顕著な効果を有する。機械的遮断及び遮断解除機構は、真空掃除機の容器内の液面が過上昇したとき、自動的にモーターを停止させる。この機構で遮断を解除することにより、容器を持ち上げたり傾けたりすることなく、再びモーターを起動して内部の液を排出することができる。また、本発明の呼び水機構は、簡単で使いやすく、しかも費用のかからない呼び水システムを提供する。
【００４５】
以上の詳細な説明は、理解を容易にするためのものであって、これから導かれる限定は、当業者にとって自明と考えるべきである。
【図面の簡単な説明】
【００４６】
【図１】本発明の真空掃除機の側面図である。
【図２】本発明の真空掃除機の平面図である。
【図３】図２の３--３線に沿った、一部を断面で示す側面図である。
【図４】本発明の空気インペラーの斜視図である。
【図５】本発明の空気インペラー部の一部を断面で示す部分図である。
【図６】一部を断面で一部を仮想線で示す、本発明のスイッチ作動機構の部分側面図である。
【図７】スイッチ作動機構の一部の分解斜視図である。
【図８】一部を断面で一部を仮想線で示す、スイッチ作動機構の部分正面図である。
【図９Ａ】一部を仮想線で示す、スイッチ作動機構の部分平面図である。
【図９Ｂ】断面と一部を仮想線で示す、スイッチ作動機構の部分平面図である。
【図１０】一部を断面で示す、排出部の第１部分の部分図である。
【図１１】一部を断面で一部を仮想線で示す、図１０のボールバルブの下方から見た図である。
【図１２Ａ】閉鎖位置にある図３のボール弁の、一部を断面で示す平面図である。
【図１２Ｂ】ボール弁が半開位置にある図１２Ａと同様の平面図である。
【図１２Ｃ】ボール弁が開放位置にある図１２Ａ及び図１２Ｂと同様の平面図である。
【図１３】一部を断面で示す、本発明のポンプ取付機構の側面図である。
【図１４】図１３のポンプ取付機構の差圧装置の分解斜視図である。
【図１５Ａ】図１３の差圧装置の拡大図である。
【図１５Ｂ】図１５Ａの差圧装置のＡ--Ａ線に沿った断面図である。
【図１５Ｃ】液が一部充填された差圧装置の、図１５Ｂと同様の断面図である。
【図１６】捕集バッグとポンプ取付機構が組み込まれ、ホースが装着された、図３と同様の側面図である。
【図１７】本発明の捕集バッグの斜視図である。
【図１８Ａ】折り返し部を開いた状態での捕集バッグの斜視図である。
【図１８Ｂ】折り返し部を閉じた状態での捕集バッグの斜視図である。
【図１９Ａ】「ＯＦＦ」の位置にあるスイッチ作動機構の、一部を断面で一部を仮想線で示す部分正面図である。
【図１９Ｂ】「ＯＦＦ」の位置にあるスイッチ作動機構の、一部を断面で一部を仮想線で示す部分断面図である。
【図２０Ａ】「ＯＦＦ」から「ＯＮ」に変わる途中の位置にあるスイッチ作動機構の、一部を除去し一部を仮想線で示す部分正面図である。
【図２０Ｂ】「ＯＦＦ」から「ＯＮ」に変わる途中の位置にあるスイッチ作動機構の、一部を断面で一部を仮想線で示す部分側面図である。
【図２１Ａ】「ＯＮ」の位置にあるスイッチ作動機構の、一部を除去し一部を仮想線で示す部分正面図である。
【図２１Ｂ】「ＯＮ」の位置にあるスイッチ作動機構の、一部を断面で一部を仮想線で示す部分側面図である。
【図２２Ａ】「ＯＮ」から「ＯＦＦ」に変わる途中の位置にあるスイッチ作動機構の、一部を除去し一部を仮想線で示す部分正面図である。
【図２２Ｂ】「ＯＮ」から「ＯＦＦ」に変わる途中の位置にあるスイッチ作動機構の、一部を断面で一部を仮想線で示す部分側面図である。
【図２３Ａ】「ＯＮ」の位置にある本発明の機械的遮断及び遮断解除機構の、一部を除去し一部を仮想線で示す部分正面図である。
【図２３Ｂ】「ＯＮ」の位置にある機械的遮断及び遮断解除機構の、一部を断面で一部を仮想線で示す部分側面図である。
【図２４Ａ】液面の過上昇により「ＯＦＦ」の位置にある機械的遮断及び遮断解除機構の、一部を除去し一部を仮想線で示す部分正面図である。
【図２４Ｂ】液面の過上昇により「ＯＦＦ」の位置にある機械的遮断及び遮断解除機構の、一部を断面で一部を仮想線で示す部分側面図である。
【図２５Ａ】機械的遮断を解除した機械的遮断及び遮断解除機構の、一部を除去し一部を仮想線で示す部分正面図である。
【図２５Ｂ】機械的遮断を解除した機械的遮断及び遮断解除機構の一部を断面で一部を仮想線で示す部分側面図である。
【図１】
0003999815.tif 000002
【図２】
0003999815.tif 000003
【図３】
0003999815.tif 000004
【図４】
0003999815.tif 000005
【図５】
0003999815.tif 000006
【図９Ａ】
0003999815.tif 000007
【図９Ｂ】
0003999815.tif 000008
【図６】
0003999815.tif 000009
【図７】
0003999815.tif 000010
【図８】
0003999815.tif 000011
【図１０】
0003999815.tif 000012
【図１１】
0003999815.tif 000013
【図１２Ａ】
0003999815.tif 000014
【図１２Ｂ】
0003999815.tif 000015
【図１２Ｃ】
0003999815.tif 000016
【図１３】
0003999815.tif 000017
【図１４】
0003999815.tif 000018
【図１５Ａ】
0003999815.tif 000019
【図１５Ｂ】
0003999815.tif 000020
【図１６】
0003999815.tif 000021
【図１５Ｃ】
0003999815.tif 000022
【図１７】
0003999815.tif 000023
【図１８Ａ】
0003999815.tif 000024
【図１８Ｂ】
0003999815.tif 000025
【図１９Ａ】
0003999815.tif 000026
【図１９Ｂ】
0003999815.tif 000027
【図２０Ａ】
0003999815.tif 000028
【図２０Ｂ】
0003999815.tif 000029
【図２１Ａ】
0003999815.tif 000030
【図２１Ｂ】
0003999815.tif 000031
【図２２Ａ】
0003999815.tif 000032
【図２２Ｂ】
0003999815.tif 000033
【図２３Ａ】
0003999815.tif 000034
【図２３Ｂ】
0003999815.tif 000035
【図２４Ａ】
0003999815.tif 000036
【図２４Ｂ】
0003999815.tif 000037
【図２５Ａ】
0003999815.tif 000038
【図２５Ｂ】
0003999815.tif 000039